Podtech/llm-jp-corpus-v4-ja_patent huggingface dataset:
(57)【要約】      （修正有）【課題】レコードに発生するカビ、汚れの原因の湿気、汚れを防止しかつほこり等を呼び込む静電気を防ぐ蓋付きレコード内袋を提供する。【解決手段】透明又は半透明のポリプロピレン製又はポリエチレン製レコード袋を製造する材料であるポリプロピレン又はポリエチレンに界面活性剤等を添加し、ほこり等を呼び込む静電気を除去せしめ、及びカビ、汚れの原因の湿気、ゴミ等の侵入を防ぐ折り返し蓋を付けた事を特徴とする蓋付き帯電防止レコード内袋である。【選択図】図１
2006225030.tif 000002
【特許請求の範囲】
【請求項１】
ポリプロピレン製又はポリエチレン製のレコード内袋に製造過程で、界面活性剤等の帯電防止のための原料を添加したことを特徴とし及び湿気、汚れの侵入を防ぐ折り返し蓋を付けた事を特徴とする蓋付き帯電防止レコード内袋。
【発明の詳細な説明】
【技術分野】
【０００１】  本発明は、蓋付きの帯電防止機能を付加したポリプロピレン製又はポリエチレン製レコード内袋に関するものである。
【背景技術】
【０００２】  従来よりＬＰレコード又はＥＰレコード他を入れる透明又は半透明のポリプロピレン製又はポリエチレン製レコード内袋があった。
【発明の開示】
【発明が解決しようとする課題】
【０００３】  （イ）ＬＰレコード又はＥＰレコード他を入れる透明又は半透明のポリプロピレン製又はポリエチレン製レコード内袋は蓋などが付いておらず、長期に保存する場合カビ、汚れを発生し、レコード本体にもそのカビ、汚れが付く欠点があった。
（ロ）長期の保存は日本の気候、湿度の高い環境では紙のレコードジャケットに湿気を帯びさせ、それが内袋の隙間より湿気、汚れを滲入させレコード溝に付着せしめ本来の音質を損なう欠点があった。それによりレコードの中古市場に於いてその劣化により売買価格が著しく低下したり、購買意欲が薄れるなどの欠点があった。
又購買者個人が長期にわたり保存した場合レコード再生時にカビ、汚れなどによりスクラッチ音が出て本来の芸術性が損なわれる事が多く、表面上はカビ、汚れを取ってもレコード溝の中のミクロン単位では取りきれずやはり耳障りな雑音が出て最初の購買時の音質とは異なりがっかりする例が多かった。
（ハ）レコードを内袋に出し入れする場合塩化ビニール等のレコードの材質上静電気が帯電発生しゴミ、ホコリを呼び寄せ、それが長期にわたるとカビ、汚れの原因になった。
【課題を解決するための手段】
【０００４】  ポリプロピレン製又はポリエチレン製のレコード内袋に蓋を付け湿気、ゴミの侵入を防止しかつ製造過程で、界面活性剤等を添加し帯電防止機能を特徴とする蓋付き帯電防止レコード内袋。
【発明の効果】
【０００５】  カビが付着していなかった輸入レコード盤が湿気の多い我が国で長期保存するとカビが付着するのは避けえない常識であり、レコード針で再生すると音質がカビ又汚れで雑音を発生し耳障りでありかつ音質的な芸術的価値を損なう。
それらの発生原因の湿気を内袋に蓋を付ける事で湿気を極力排除せしめる。
また静電気が原因でゴミを付着させたまま内袋にレコードを入れる事でやはり音質低下を招く事を界面活性剤等を添加し帯電防止機能を持たせる事により防ぐ事ができる。
【発明を実施するための最良の形態】
【０００６】以下、本発明の実施の形態を説明する。
透明又は半透明のポリプロピレン製又はポリエチレン製袋を製造する材料であるポリプロピレン又はポリエチレンに界面活性剤等を添加し、かつレコード（１）袋の入口に蓋（２）を付ける事で静電気とカビ、汚れの原因である湿気、静電気を排除せしめるレコード袋である。
【図面の簡単な説明】
【０００７】
【図１】本発明の斜視図
【符号の説明】
【０００８】  １  レコード内袋
２  蓋
【図１】
2006225030.tif 000003
(57)【要約】【課題】  従来の液体容器は、構造上内部の液体が吐出された後に抽出口、口内に液体が付着や固着してしまい容器外部、外壁への液垂れが起こり衛生上にも問題があった。【解決手段】  本発明の液体容器は、抽出口内に撥水加工を施したアルミ等適材素材を取り付けることにより、残留又は付着しようとする液体を撥水加工により水玉状にし液体容器本体下部に滑り落下させ抽出口、口内への付着や固着残留を防止し上向きに取り付けることで液垂れを防止させるとともに衛生面の向上を提供することができる。【選択図】  図１
2006225026.tif 000002
【特許請求の範囲】
【請求項１】
本発明は、液体容器に関するものである。抽出口内部の一部又は全体に撥水加工を施したアルミ等適材素材を取り付け又は、撥水効果をコーティングし抽出の際の液垂れ、付着や固着を防止するとともに衛生面を向上させるものである。
【発明の詳細な説明】
【技術分野】
【０００１】  本発明は、液体容器の液体抽出の際の、液垂れ付着や固着防止を図った液体容器に関する。
【背景技術】
【０００２】  従来の液体容器には、抽出口内部に弁を用いる事で液垂れを防止したものがある。（例えば、特許文献１参照。）
【特許文献１】公開平８−１３３３０７  号
【発明の開示】
【発明が解決しようとする課題】
【０００３】  以上述べた従来の液体容器では、吐出口内に残留する液体の一部を弁室内に吸引させ、吐出口内の液面を内奥に後退させるもので、構造上吐出口内に液体が一部残留してしまい、抽出口付近への液垂れ、吐出口内での残留液の付着や固着をより良く防止するものではなかった。【０００４】  本発明は、このような従来の構成が有していた問題を解決しようとするものであり、抽出口内に液体を残留する事を防ぎ、液垂れ付着や固着を防止することを目的とするものである。
【課題を解決するための手段】
【０００５】  そして、本発明は上記目的を達成するために抽出口内、一部又は全体に撥水加工を施したアルミ等適材素材取り付け又は撥水効果をコーティングし、抽出の際の液垂れ、付着や固着を防止し衛生面を向上させるものである。【０００６】  また、抽出口内に取り付ける撥水加工を施したアルミ等適材素材の形状を抽出口に平行ではなく上向きに取り付けることで更なる液垂れ防止を実現させる。
【発明の効果】
【０００７】  上述したように本発明の液体容器は、抽出口内に撥水加工を施したアルミ等適材素材を取り付けることにより、残留しようとする液体を撥水加工により水玉状にし液体容器本体下部に滑り落下させ抽出口、口内への付着や固着を防止し上向きに取り付けることで液垂れを防止する液体容器を提供できる。
【発明を実施するための最良の形態】
【０００８】  以下、本発明の実施の形態を図１に基づいて説明する。【０００９】  図１、１は抽出口。２は撥水加工を施したアルミ等適材素材。３は撥水効果コーティング。４は液体容器本体。５は空気穴。
【実施例】
【００１０】  液体容器本体に入った液体は傾けることにより抽出口へと液体を流す。図１の２と３を通過した液体は外部へと吐出される。液体容器本体を水平にすると液体は液体容器本体下部へと流れる。その際に抽出口、口内に残留、付着しようとする液体を図１の２と３の撥水効果により液体は水玉状になり液垂れ付着や固着を防止し、水玉状のまま液体容器本体下部へと流れ落ちる。
【図面の簡単な説明】
【００１１】
【図１】本発明の実施形態を示す液体容器の断面図。
【図２】本発明の実施形態を示す液体容器の別形状断面図。
【符号の説明】
【００１２】１  液体抽出口
２  撥水加工を施したアルミ等の適材素材
３  撥水効果コーティング
４  液体容器
５  空気穴
【図１】
2006225026.tif 000003
【図２】
2006225026.tif 000004
(57)【要約】【課題】特に粉末商品などにおける、スプーン計量の飛散や、保存性能の悪さ、不用なゴミの現状、収納の不便さを解消するために、計量二重キャップ付き収納保存ボトルを提供する。【解決手段】プラスチックボトルに、開閉キャップ３と複数計量キャップ２をとりつけることによって、飛散や汚れがなくなるようにする。また開閉キャップ３と、上部開口部４の密閉蓋５をとりつけることによって、保存性能が上がるようにする。さらにボトルスタンド６を使用することによって、収納出来るようにする。【選択図】図１
2006225037.tif 000002
【特許請求の範囲】
【請求項１】
上部より商品を簡単に入れられ、完全に密閉が出来ることで、保存性を向上させられたこと。
【請求項２】
開閉キャップをつけたことによって、開閉をスムーズにおこなえ、開閉出口が蝶型に開き商品を取り出せること。
【請求項３】
計量キャップを複数設けることによって、いろんな用途の計量が出来るようなったこと。
【請求項４】
ボトルを逆さにすることで、商品を全て使い切れるように出来たこと。
【請求項５】
収納出来るスタンドを設けることで、持ち運びも簡単におこなえるようになったこと。
【発明の詳細な説明】
【技術分野】
【０００１】本発明は、粉末商品などの計量を、おこないやすく使用でき、尚且つ保存性を考慮した発明である。
【背景技術】
【０００２】従来は、スプーン等で計量しており、容器から直接計量できるものがなかった。
【発明の開示】
【発明が解決しようとする課題】
【０００３】粉末商品等を、取り出そうとした時に、スプーン等では飛散してしまったり、保存性能も悪く、不用なゴミがでたり、収納のしやすさという難点があった。本発明はこの課題を解消するためになされたものである。
【課題を解決するための手段】
【０００４】逆さにしたプラスチックボトル本体１から、蝶型に開く開閉キャップ３の使用で複数計量キャップ２へ直接計量が出来るようにした。また開閉キャップ３と上部開口部４の密閉蓋５を取り付けることで、保存性も向上し、従来の詰め替え商品を使用することで、不用なゴミの減少が出来るようにした。またプラスチックボトル本体１を収納するボトルスタンド６もつけることで使いやすくした。
【発明の効果】
【０００５】プラスチックボトルに、開閉キャップ３と複数計量キャップ２が装着してあるので、汚さず計量が出来る。また開閉キャップ３と上部開口部４の密閉蓋５の使用で、保存性とゴミの減少が出来る。しかもボトルスタンド６の使用で収納しやすい。
以下、本発明の実施の形態について説明する。
（イ）プラスチックボトル本体１の上部開口部とりつけ線７を切断し、上部開口部４に密閉蓋５をとりつける。プラスチックボトル本体１に、上部もネジ式にした、蝶型に開閉する開閉キャップ３をとりつけ、用途にあった計量が可能な複数計量キャップ２をとりつける。
（ロ）木材をボトルスタンド６のように加工し、プラスチックボトル本体１を収納する。
【実施例１】
【０００６】
【図面の簡単な説明】
【０００７】
【図１】本発明の平面図である。
【図２】本発明の立面図である。
【図３】本発明の使用状態を示す平面図である。
【符号の説明】
【０００８】１  プラスチックボトル本体
２  複数計量キャップ
３  開閉キャップ
４  上部開口部
５  密閉蓋
６  ボトルスタンド
７  上部開口部とりつけ線
【図１】
2006225037.tif 000003
【図２】
2006225037.tif 000004
【図３】
2006225037.tif 000005
(57)【要約】      （修正有）【課題】豆腐を賽の目に切ることのできる容器の提供。【解決手段】上面と１側面が開口している直方体の、上面の容器縁４に釣り糸通し穴２を複数設けて釣り糸３を適宜間隔の方眼に張り渡し、同様に、開口している１側面に数条の釣り糸３を適宜間隔で水平に張り渡した容器１とする。豆腐を上方から容器１に押し込み、開口側面から取り出すことで賽の目切りが完成する。【選択図】図１
2006225038.tif 000002
【特許請求の範囲】
【請求項１】
トウフ切りには他の方法も考えられる容器なしでふちだけで線を張り二枚作れば切れる方法も考えられるが容器の中に入れて切る事にして特許の申請をします
【発明の詳細な説明】
【技術分野】
【０００１】みそ汁の具によくトウフを利用されています
手の上に乗せて細かく切る事は大きさが不揃になりほねのおれる作業です
【背景技術】
【０００２】１０年以上前から店頭でさがしていましたが今もって商品化されていません
【特許文献１】※
【０００３】
【発明の開示】
【発明が解決しようとする課題】
【０００４】トウフを切る時手のひらに乗せて右からたてに包丁で切り次にトウフを持ち替えて右から切るこの頃からだんだんくずれてきて鍋に落ちる次に先の方から鍋に切り込み完了する
【課題を解決するための手段】
【０００５】容器の上に穴（９ｍ／ｍ又は１５ｍ／ｍ）間をあけつり糸を左右に張る  次に横にも９ｍ／ｍ又は１５ｍ／ｍの間にに穴をあけつり糸で張る
【発明の効果】
【０００６】トウフを容器網の上に置き手の平で押し込む次に下向にし反動でトウフをなべの中に入れる
数秒のうちにトウフは思い通りに切れる
１  時間がかからない
２  何回でも使用出来る
３  線が切れても補習が簡単
４  ９ｍ／ｍと１５ｍ／ｍの二種類を作っておけば好みに使い分けが出来ます
【実施例１】
【０００７】
【図面の簡単な説明】
【０００８】
【図１】本発明の横（取出口）から見た図です
【図２】本発明の上（入口）から見た図です
【符号の説明】
【０００９】１  トウフ切り容器
２  つり糸の通し穴
３  つり糸
４  容器のふち
【図１】
2006225038.tif 000003
【図２】
2006225038.tif 000004
(57)【要約】      （修正有）【課題】  食事時、ティッシュで拭きたい場合があるが、現状では大箱ティッシュかポケットティッシュしかなく、大箱では置き場に困るし、ポケットティッシュではつかいずらいので、この解決を課題とする。【解決手段】  市販のポケットティッシュを用い、これを取り出しやすくティッシュケース１に収納してテーブル上に置くもので、ケースは小さく場所を取りません。  又、ティッシュ３は簡単に補充できる方法とし、ティッシュケース１には、底に滑り止めを施した底板を設けて、取り出し時のティッシュの崩れを防いでいます。【選択図】  図２
2006225033.tif 000002
【特許請求の範囲】
【請求項１】
ポケットティッシュを取り出しやすくケースにセットするため、ティッシュを縦方向に少しずつずらして重ねる方法を用いるティッシュケース。
【請求項２】
ケースにセットされたティッシュを取り出していったとき、残ったティッシュが崩れないように、底に滑り止めをつけているティッシュケース。
【発明の詳細な説明】
【技術分野】
【０００１】  本発明は、食事のとき、ティッシュで拭きたい場合があるが、現状では使いやすいものが無いので、テーブル上に置けて、取り出しやすいティッシュケースを提供する。
【背景技術】
【０００２】  現状では１１５×２４０の大箱ティッシュボックスが使われているか、特別に製作されたケースが使われるなどで、今回の発明に相当するものは見当たらない。
【発明の開示】
【発明が解決しようとする課題】
【０００３】  食事のときにティッシュを使おうと思うと、大箱ティッシュかポケットティッシュが無くてはならないが、大箱は置き場に困るし、ポケットティッシュは取り出しにくい、等の問題があるので、この不具合の解決を課題とする。
【課題を解決する手段】
【０００４】  この課題を解決するための請求項１の発明は、市販のポケットティッシュを、取り出しやすく簡単に補充する方法であり、ティッシュの補充時、手間をかけないで美しくセットできる。
【０００５】  請求項２の発明は、ティッシュケースの底に、滑り止めをつけた受け部を付けるもので、これにより、ティッシュを取り出していったとき、残りのティッシュの崩れが少なく、見た目が良い。
【０００６】  本発明は、底板２を装着したコップ状のティッシュケース１に、図３に示すように、取り出しやすく重ねたティッシュを入れて使うもので、一枚ずつ綺麗に取り出せる。
【発明の効果】
【０００７】  本発明により、テーブル上に、スペースをとらずにティッシュケースを置くことが出来るので、食事時拭く必要が生じた場合、大箱ティッシュを取に立つ必要が無く、落ち着いて食事が楽しめる。
又これは化粧台などに置いても利用価値がある。
【発明を実施するための最良の形態】
【０００８】  図３のティッシュは、ポケットティッシュを袋から取り出し、三袋程を同じ方向に重ねて持って、３回位の曲げ動作でこのようになるので、ティッシュの補充は簡単である。【０００９】  底板２は金属板で作り、ティッシュの当たる部分には滑り止め加工を行ない、バネ力を利用してケースの底にセットされる。【００１０】  ケース１は、木製か陶器で作り、外周には様々なデザインを施した製品が考えられ、生活を豊かに出来る。
【産業上の利用可能性】
【００１１】本発明に係るテーブルティッシュケースは、工業的に量産が可能である為、産業上の利用可能性を有する。
【図面の簡単な説明】
【００１２】
【図１】ティッシュをケースにセットした図である。
【図２】ティッシュケースの断面図である。
【図３】セット前のティッシュを示す図である。
【図４】底板の斜視図である。
【符号の説明】
【００１３】１    ティッシュケース
２    底板
３    ティッシュ
【図１】
2006225033.tif 000003
【図２】
2006225033.tif 000004
【図３】
2006225033.tif 000005
【図４】
2006225033.tif 000006
(57)【要約】【課題】洋式便器内に簡単に設置することが可能で、便器周囲の壁面や床等を汚すことなく男性が放尿できるための誘導手段を提供する。【解決手段】洋式便器５の水溜め部４に浮遊する浮標１であって、該浮標１は、固定手段３によって該洋式便器５の底部５１に一端を固定したワイヤ２に係留され、水溜め部４の水面に浮遊して男性放尿時の的とされる男性放尿用浮標１。好ましくは、上記固定手段３として、洋式便器５の底部５１に穿たれた孔部５１１に嵌挿されたウエルナット３１とこのウエルナット３１に螺入するボルト３２とを用いる。【選択図】図１
2006225995.tif 000002
【特許請求の範囲】
【請求項１】
洋式便器の水溜め部に浮遊する浮標であって、該浮標は、固定手段によって該洋式便器の底部に一端を固定したワイヤに係留され、水溜め部の水面に浮遊して男性放尿時の的とされる男性放尿用浮標。
【請求項２】
上記固定手段が上記洋式便器の底部に穿たれた孔部に嵌挿されたウエルナットとこのウエルナットに螺入するボルトとからなるものである請求項１に記載の男性放尿用浮標。
【発明の詳細な説明】
【技術分野】
【０００１】
本発明は、洋式便器に設けられる男性放尿用浮標に関する。
【背景技術】
【０００２】
男性が洋式便器に立ち姿勢で放尿する場合、手で尿の放出軌道を調整している。男性専用の小便器を利用するときは、いわゆる朝顔への放尿となるためほとんど問題はないが、家庭におけるトイレの主流となった洋式便器を利用する場合、排尿位置が便器のかなり上方となるため、便器外に尿が飛び散り不潔になるという問題がある。そこで、下記特許文献１には一端を大径の小便受け口、他端を小径の小便落下口とした男性放尿用ガイド器具が提案されている。
【特許文献１】特許第３５１３７４９号公報（第１〜４頁、第１図、第２図、第３図）
【発明の開示】
【発明が解決しようとする課題】
【０００３】
しかしながら、上記特許文献１の第２図、第３図から明らかなように、洋式便器に別途ガイド筒を設置しなければならず、コストがかかり、また、ガイド筒自体が不潔になるという問題がある。本発明は、洋式便器内に簡単に設置することが可能で、便器周囲の壁面や床等を汚すことなく男性が放尿できるための誘導手段を提供することをその課題とする。
【課題を解決するための手段】
【０００４】
上記課題を解決するために、本発明においては、つぎのような技術的手段を講じている。すなわち、本発明によれば、洋式便器の水溜め部に浮遊する浮標であって、該浮標は、固定手段によって該洋式便器の底部に一端を固定したワイヤに係留され、水溜め部の水面に浮遊して男性放尿時の的とされる男性放尿用浮標が提供される。上記浮標としては、水より比重の小さな合成樹脂から形成された浮き玉が好ましく用いられる。また、浮き玉に同心円で的印を描く等、男性の注意を喚起する模様を描いてもよい。
【０００５】
また、上記固定手段が上記洋式便器の底部に穿たれた孔部に嵌挿されたウエルナットとこのウエルナットに螺入するボルトとから構成されることが好ましい。ウエルナットは合成樹脂、合成ゴム等弾性の弾性体から形成され、ボルトを捻じ込むと、ネジの螺進作用によって弾性体そのものが膨張して上記孔部を塞ぐ。
【発明の効果】
【０００６】
請求項１に記載の発明は上記のとおりであり、洋式便器の水溜め部に男性放尿時の的とされる浮標が係留されているため、男性の注意を喚起するとともに、男性の遊び心を満足させて浮標を目がけて放尿する。その結果、尿が便器外に飛び散ることを防いで便器周囲の壁面や床等を汚すことなくトイレ内を清潔に保つことができる。
【０００７】
上記固定手段が上記洋式便器の底部に穿たれた孔部に嵌挿されたウエルナットとこのウエルナットに螺入するボルトとからなり、ワイヤを絡めたボルトを弾性体に捻じ込むことによってワイヤの一端を固定することが可能となり、また、上記孔部を塞いでしっかりと止水することができる。
【発明を実施するための最良の形態】
【０００８】
以下、本発明の実施形態について図面を参照して、詳細に説明する。図１は、洋式便器５に設けられた本発明にかかる男性放尿用浮標１を示す斜視図である。図１において、上記男性放尿用浮標１は、洋式便器５の水溜め部４の水面に浮遊するようにワイヤ２によって係留され、このワイヤ２の一端は洋式便器５の底部に固定されている。また、上記男性放尿用浮標１の表面には同心円で的印が描かれ、注意を喚起するとともに、遊び心を満たすようにされている。
【０００９】
図２は、上記ワイヤ２によって係留された男性放尿用浮標１を示す説明図である。図２からよくわかるように、ワイヤ２の一端は洋式便器５の底部５１に固定手段３によってしっかりと固定されている。図３は、図２に示す固定手段３の拡大側断面図であり、本実施形態においては、ウエルナット３１とボルト３２とからなる固定手段３が用いられている。すなわち、弾性変形可能な合成ゴムからなるウエルナット３１を上記底部５１に穿たれた孔部５１１に嵌挿し、ワイヤ２を絡めたボルト３２を捻じ込む。ボルト３２を螺入することによってウエルナット３１はネジの作用によって膨らみ上記孔部を塞ぎ、止水する。
【００１０】
以上述べたように、洋式便器５の水溜め部４の水面に男性放尿用浮標１を浮遊させることによって、遊び心を満たしながら尿の放出軌道を男性放尿用浮標１に集中させることが可能となる。その結果、尿が便器外に飛び散ることを防ぎ、便器周囲の壁面や床等を汚すことなくトイレ内を清潔に保つことができる。
【図面の簡単な説明】
【００１１】
【図１】洋式便器に設けられた本発明にかかる男性放尿用浮標を示す斜視図である。
【図２】上記ワイヤによって係留された上記男性放尿用浮標を示す説明図である。
【図３】図２に示された固定手段の拡大側断面図である。
【符号の説明】
【００１２】
１          男性放尿用浮標
２          ワイヤ
３          固定手段
３１        ウエルナット
３２        ボルト
４          水溜め部
５          洋式便器
５１        底部
５１１      孔部
【図１】
2006225995.tif 000003
【図２】
2006225995.tif 000004
【図３】
2006225995.tif 000005
(57)【要約】【課題】  断熱性と防水性とを兼ね備えると共に、施工時の作業性に優れた室温硬化型建築材料及びその施工方法を提供する。【解決手段】  ポリシロキサン重合体Ｉに対し、ガラスバル−ン混合物IIを重量比でＩ／IIが２５／７５〜７５／２５になるように配合した樹脂組成物からなる室温硬化型建築材料と、これを溶剤で希釈して建造物の下地材の上に塗布する室温硬化型建築材料の施工方法。【選択図】  なし【特許請求の範囲】
【請求項１】
ポリシロキサン重合体Ｉに対し、ガラスバル−ン混合物IIを重量比でＩ／IIが２５／７
５〜７５／２５になるように配合した樹脂組成物からなる室温硬化型建築材料。
【請求項２】
前記ポリシロキサン重合体が縮合型ポリシロキサン重合体である請求項１に記載の室温硬化型建築材料。
【請求項３】
請求項１又は２に記載の樹脂組成物を溶剤で希釈し、これを建造物の下地材の上に塗布する室温硬化型建築材料の施工方法。
【発明の詳細な説明】
【技術分野】
【０００１】
この発明は室温硬化型建築材料及びその施工方法に関し、さらに詳しくは、断熱性と防水性とを兼ね備えると共に、施工時の作業性に優れた室温硬化型建築材料及びその施工方法に関する。
【背景技術】
【０００２】
従来より屋上の輻射熱を屋内に伝導させないために、天井内部または壁内部にガラスウ−ル等の低密度繊維性集合体やウレタンフォーム等の発泡体を配置することが行なわれている（例えば、特許文献１参照）。
【０００３】
さらに、屋上からの雨水の浸入を防止するために、天井内部または壁内部に防水シ−トを配置（例えば、特許文献２参照）したり、断熱性と防水性とを兼ね備えたパネルを配置（例えば、特許文献３参照）するようにした提案がある。
【０００４】
しかしながら、いずれの提案にあっても、シートやパネルの継ぎ目におけるシール性を確保することが難しく、断熱性と防水性とを兼ね備えた建築材料の開発には、未だ研究の余地を残していた。
【特許文献１】特開平５−３４００４０号公報
【特許文献２】特開２００４−２７５９８号公報
【特許文献３】特開２００２−３８６５９号公報
【発明の開示】
【発明が解決しようとする課題】
【０００５】
この発明の目的は、上述する問題点を解消するもので、断熱性と防水性とを兼ね備えると共に、施工時の作業性に優れた室温硬化型建築材料及びその施工方法を提供することにある。
【課題を解決するための手段】
【０００６】
上記目的を達成するためのこの発明の室温硬化型建築材料は、ポリシロキサン重合体Ｉ
に対し、ガラスバル−ン混合物IIを重量比でＩ／IIが２５／７５〜７５／２５になるよう
に配合した樹脂組成物からなることを要旨とする。
【０００７】
また、この発明の室温硬化型建築材料の施工方法は、上述する樹脂組成物を溶剤で希釈し、これを建造物の下地材の上に塗布することを要旨とする。
【発明の効果】
【０００８】
この発明によれば、ポリシロキサン重合体Ｉに対し、ガラスバル−ン混合物IIを重量比
でＩ／IIが２５／７５〜７５／２５になるように配合した樹脂組成物からなる建築材料を
溶剤で希釈し、これを建造物の下地材の上に塗布するようにしたので、樹脂組成物の有する低熱伝導性と耐水性とを利用して、建築材料としての断熱性と防水性とを両立させることができると共に、樹脂組成物が有する優れた接着性と室温で硬化する性質とを利用して、建築材料の施工時における作業性を極めて容易にすることができる。
【発明を実施するための最良の形態】
【０００９】
以下、この発明の構成につき詳細に説明する。
【００１０】
この発明の室温硬化型建築材料（以下、単に建築材料という）は、ポリシロキサン重合体Ｉに対し、ガラスバル−ン混合物IIを重量比でＩ／IIが２５／７５〜７５／２５になる
ように配合した樹脂組成物からなる。
【００１１】
このように構成された樹脂組成物は、低熱伝導性と耐水性とを有すると共に、優れた接着性と室温において硬化する性質とを兼ね備えている。したがって、建造物の断熱材料及び防水材料として適しており、施工時には加圧・加熱等の操作を必要としないことから、作業性に優れている。
【００１２】
ポリシロキサン重合体としては、一液型又は二液型で、かつ室温で硬化可能なジオルガノポリシロキサン直鎖状重合体が好ましく使用される。また、ガラスバル−ン混合物としては、ガラスバル−ンとシラスバルーンとの混合物が使用され、内径を０．１ｍｍ以下とする中空体が好ましく使用される。
【００１３】
上記樹脂組成物において、ポリシロキサン重合体Ｉとガラスバル−ン混合物IIとの重量
比Ｉ／IIが２５／７５未満では施工性、可撓性が充分に得られず、７５／２５超では断熱
性が低下する。
【００１４】
この発明において、ポリシロキサン重合体としては、縮合型ポリシロキサン重合体を使用するとよい。これにより、樹脂組成物の断熱性と防水性とを一層両立させることができる。
【００１５】
上記樹脂組成物からなるこの発明の建築材料は、メチルエチルケトン等の溶剤で希釈した後、建造物における下地材の上に塗布される。塗布する方法は、特に限定されるものではないが、こて塗り、キャスティング又はその他適当な手段で行なうようにすればよい。塗布された樹脂組成物はそのまま放置しておくことによって硬化する。さらに、硬化後の建築材料は下地材の上に強固に接着されている。したがって、この発明の建築材料によれば、施工時に手間がかからず、施工作業を極めて容易に行なうことができる。
【００１６】
上述するように、この発明はポリシロキサン重合体Ｉに対し、ガラスバル−ン混合物II
を配合した樹脂組成物を建築材料とし、これを溶剤で希釈して建造物の下地材の上に塗布することにより、断熱性と防水性とを兼ね備えた建築材料を簡単に施工できるようにしたもので、特に吸水性が少ないことと接着性に優れることから、屋上の防水断熱材として好ましく適用することができる。
【実施例】
【００１７】
表１の組成からなる樹脂組成物を作製し、これをメチルケトンにより希釈した後、タイル状の目地にヘラで塗工した。これを室温（２４℃）下で７２時間静置して硬化させ、硬化物を７０℃の温水中に２週間浸漬させた。浸漬後の硬化物には亀裂や変色などの異常が認められなかった。
【００１８】
【表１】
2006225921.tif 000002
(57)【要約】【目的】この発明は，一般家庭で台所から出た生ゴミを，建物内部より建物外部へ瞬時に排出，収納する設備である。【構成】（１）建物内部蓋，（２）ダクト，（３）開閉連結レバー，（４）外部蓋，（５）ガイドローラー，（６）ガイドプレート，（７）収納ケース蓋，（８）収納ケースで構成される。（１）建物内部蓋を，手前に開き生ゴミを入れると（３），（４），（５），（６），（７）は，それぞれ連動し開き，生ゴミは自然落下して（８）収納ケースにに収納される。（１）建物内部蓋を戻すと（３），（４），（５），（６），（７）は連動し元の位置に戻る。（１）建物内部蓋には，上部に蓋止め部品付き，（４）の外部蓋は高さの調整と，下部先端に（５）ガイドローラーを取り付け，（４）の外部蓋が開くと（７）の収納ケース蓋上部に付けられた，（６）ガイドプレートを，（５）のガイドローラーが跳ねあげて，（７）の収納ケース蓋をあける。（３）の開閉レバーが，壁厚の調整と全作動の重要な要点である。【選択図】図３
2006225159.tif 000002
【特許請求の範囲】
【請求項１】
生ごみを，アルミ部材の開閉式ダクトを通して排出し，外部ケースに収納する。
【発明の詳細な説明】
【発明の詳細な説明】
この発明は，一般家庭における台所で建物内部に居ながら，  その都度，小袋に詰めた生ごみを，建物外部へ排出収納できる設備である。
生ごみの悪臭は仕方がなく，我慢をしたり，悪臭を室内に残したくない時は手間隙をかけて別の場所に格納するが，本装置は，建物内部に居ながら生ごみを瞬時に家の外部に排出処理が出来，手間隙がかからない。
図２に示すとおり，内部の蓋  外部の蓋が同時に開閉出来，アルミ材を使用の為  腐食に強い。
本装置は，レバーの連結方式なので，簡単で故障がなく，堅牢である。
【図面の簡単な説明】
【図１】平面図
【図２】断面図
【図３】本装置の，稼動図
【符号の説明】
（１）は，建物内部蓋    （２）は，ダクト          （３）は，開閉連結レバー
（４）は，外部蓋        （５）は，ガイドローラー  （６）は，ガイドプレート
（７）は，収納ケース蓋  （８）は，収納ケース
【図１】
2006225159.tif 000003
【図２】
2006225159.tif 000004
【図３】
2006225159.tif 000005
(57)【要約】【課題】ゴミ袋を使用する際にはゴミ箱への取り付けに手間がかかり、そのままで使用すると開口部が閉じてしまう事が多かった。また、従来の開口保持具もゴミ箱と同様に取り付けに手間がかかるものが多く、簡便に出来るものがなかった。【解決手段】部品点数を減らし、素材の弾力性を利用した。また、ゴミ箱の使用を省けるように、この発明を取り付けたゴミ袋をそのまま地面に置いた場合でも開口部が閉じない工夫を加えた。【選択図】図１
2006225157.tif 000002
【特許請求の範囲】
【請求項１】
素材の弾力性を利用した、安価で簡便な袋の開口支持具。
【請求項２】
取り付け、取り外しに手間のかからない開口支持具。また、部品点数の少なさから設置可能状況も幅広い。
【請求項３】
２点から３点の部品数で簡便に袋の開口を保持する道具。また、素材の量などから非常に安価に製造が出来る開口支持具。
【発明の詳細な説明】
【技術分野】
【０００１】  この発明は、主にゴミ袋に使用される袋の開口を支持する。
【背景技術】
【０００２】  従来のゴミ袋は基本的にゴミ箱の中に設置することが多かったが、一旦ゴミ袋をゴミ箱の中に入れ、めくって引っかけて固定するなどの手間がかかっていた。
また、袋のままで使用すると自重で開口部が閉じてしまい、ゴミを入れる際に開くなどの手間が必要だった。
【発明の開示】
【発明が解決しようとする課題】
【０００３】  上記の問題点から、様々な開口保持具が開発されたが、設置に手間のかかるものが多かった。
そこでこの発明は開口部の保持を行う際の取り付けの手間を省き、これを取り付けたゴミ袋をそのまま置いたり、どこかへ引っかけるなどの使用が簡便に出来る事を課題とする。
【課題を解決するための手段】
【０００４】  以上の課題を解決するために、この発明は部品点数を減らし、材料となっている素材の弾力性を使う事によって、容易な開口部の保持が出来る事を特長とする開口支持具である。
【発明の効果】
【０００５】  この発明で、ゴミ袋の開口部を支持する事が容易にでき、また形状の利点から袋の大きさにあまり左右されずに使用する事が可能である。
【発明を実施するための最良の形態】
【０００６】  この発明の一実施形態を、図１に示す。
開口支持具１のレールは受け口を広く持ち、固定部２が二重、三重になっても問題なく保持する事が出来る。【０００７】「実施形態の効果」
また、支持部３の効果によって、開口保持具を取り付けた状態で地面に置いても開口部が閉じる事がない。【０００８】「他の実施形態」
図１の実施形態では地面などに置いた状態であったが、図２にあるような他の実施形態では、フック４の効果によって別の設置方法も可能となっている。
【図面の簡単な説明】
【０００９】
【図１】この発明の一実施形態を示す図である。
【図２】図１とは別の実施形態を示す図である。
【符号の説明】
【００１０】      １  レール
２  固定部
３  支持部
４  フック
【図１】
2006225157.tif 000003
【図２】
2006225157.tif 000004
(57)【要約】      （修正有）【課題】  効果的に円形の接着を可能とする片面及び両面接着テープの提供。【解決手段】  らせん状の連続した円形粘着テープを芯から貼り合わせ、ひとつの連続らせんテープを作り、使用する場合は剥がして適宜の長さにカットして使用する。円形を使用の主な目的とするが、任意の弧の形にも対応できる。又らせん状の接着も可能である。【選択図】  図１
2006225620.tif 000002
【特許請求の範囲】
【請求項１】
らせん状の１枚の連続した粘着テープを、その円形の大きさの巻心に、張り合わせた片面及び両面粘着テープである。
【発明の詳細な説明】
【発明の詳細な説明】
【技術分野】
【０００１】本発明は、らせん状の粘着片面及び両面テープであり、効果的に円形の接着を可能とする粘着テープである。
【背景技術】
【０００２】円形に粘着テープを貼る場合には通常の粘着テープに切込みを入れて貼っていく方法と、短くカットし少しずつ貼あわせ円形を作る方法があるが、通常の粘着テープは、円形に貼ることを想定していないため、殆んど不可能である。また、無理に円形状に使用すると、シワになってしまい、見栄えも悪くする。さらに、接着面が少なくなり、接着力を著しく低下させる。円形に接着する粘着テープは１枚ものの単独のテープがあるにすぎない。
【発明が解決しようとする課題】
【０００３】すでに存在する円形の粘着テープは１枚の単独のものであるため紛失しやすく、形状が変形しやすい。また弧の形に使った場合、１つの円形の一部を使うため、残った部分が無駄になってしまう。通常使われている粘着テープのように、１枚続きの長いテープとして形成されていれば、連続的に無駄なく、必要な長さにカットして使うことができる。
【課題を解決するための手段】
【０００４】以上の課題を解決するためには、１枚続きの長いらせんテープを、円形の巻心のうえに連続させ、その粘着面を貼り合わせることにより、粘着テープを作る。
【発明を実施するための最良の形態】
【０００５】以下、本発明の実施の形態について説明する。
従来の粘着テープは、直線に接着することを目的としているため、円形に接着することはできない。円形に接着するためには、小さく切断し徐々に角度をつけていく方法、または切込みを入れて、角度をつける等の方法が考えられるが、その方法では、作業効率が著しく低下する。また、接着力も低下する。円形の１枚ものの粘着テープは存在するが、通常の粘着テープのように連続していないため利便性に欠ける。
本発明は、らせん状の長い粘着円形テープを作成し、底面の巻心から、粘着面を互いに貼り合わせ、粘着テープを形成する。通常の粘着テープは側面を剥がしながら使用するが、本発明は、上面を剥がしながら使用することになる。
ひとつの円形の粘着テープとして利用することを主な目的とするが、弧の形に応じて必要な弧の長さに使用することもできる。また、らせん状に長く接着することも可能である。使用時には、通常の粘着テープのように、必要な長さに剥がしながらカットして使うことができるのである。
【発明の効果】
【０００６】本発明を使用することにより、円形の物体を接着させる場合は、施工上、容易に接着可能となる。接着面が確実になり接着力を低下させない。さまざまな直径や巾、厚さの製品を作成することにより対応範囲が広がる。また連続したテープであるため、無駄なく使用することができる。テープには巻心あるため、変形しにくく、施工が容易になる。
【図面の簡単な説明】
【図１】本発明の斜視図
【図２】本発明の拡大の正面図
【図３】本発明の拡大の側面図
【符号の説明】
（１）粘着面  （２）巻心
【図１】
2006225620.tif 000003
【図２】
2006225620.tif 000004
【図３】
2006225620.tif 000005
(57)【要約】      （修正有）【課題】一枚の樹脂シ−トより蝶番と紐の機能を果たす形状が簡単に切り取れる粘着シ−ルを提供する。【解決手段】粘着シール付き蝶番と紐を一体化した樹脂シートで、樹脂シート（１）の裏面の中心線より左右の一定幅には粘着剤（２）を塗布しない部分（３）を設け、それ以外の左右の部分（４）には粘着剤を塗布し、その塗布した粘着剤を保護するために紙（５）を貼り付けたシールで構成されている。樹脂シートは点線部より左右に切り離すと紐の機能をもった「粘着シール付紐」として使用でき、紐の根元より切り離すと蝶番の機能をもった「粘着シール付蝶番」として使用できることを特徴とする軟質樹脂粘着シール付蝶番と紐。【選択図】  図１
2006225618.tif 000002
【特許請求の範囲】
【請求項１】
本発明は比較的強度が有り、一定面積を保有する樹脂シート裏面の中心線より左右の一定幅には粘着剤を塗布せずに、それ以外の左右の部分には粘着剤を塗布し、その保護の為の紙を貼り付けたシールで構成されている。その樹脂シートは切り取る方向により、蝶番の機能をもった形状と、紐の機能をもった形状のどちらかの粘着シールを必要に応じ作ることが出来る。
【請求項２】
樹脂シートの中心線より裏側に二つ折りに開閉できるようにし、粘着剤保護の為の紙を剥がし、その左右の接着面を蝶番機能を必要とする被接着物の左右に貼り付け固定すると充分に蝶番の機能・役割が出来る請求項１記載の軟質樹脂粘着シール付蝶番と紐。
【請求項３】
樹脂シートの中心線の左右の粘着剤を塗布したシート部分それぞれにあらかじめ紐をあしらい樹脂シートの中心線より左右に切り離すと粘着シール付きの紐が二つ出来上がる。紐は樹脂シートの左右をＴの字型・凸型に紐とシールの一体加工にしても良い。また、飾り紐の様に好みに応じた紐を付けることも出来請求項１〜２記載の軟質樹脂粘着シール付蝶番と紐。
【請求項４】
樹脂シートの中心線より左右に切り離すと「粘着シール付紐」が出来、紐の部分を切り離すと「粘着シール付き蝶番」が出来上がる請求項１〜３記載の粘着樹脂粘着シール付蝶番と紐。
【発明の詳細な説明】
【技術分野】
【０００１】  本発明は、一枚の樹脂シートより蝶番と紐の機能を果たす形状が簡単に切り取れる粘着シールに関するものである。
【背景技術】
【０００２】  従来、各種形状の蝶番は多く、各蝶番とも金属や硬質樹脂で製作され螺子又は接着剤を使用して取り付けられている。紐は屈曲・湾曲させることにより様々な箱、新聞紙等を結束、固定することができ、食品包装用袋や電気コードの結束、あるいは園芸用支柱への植物の固定など多くの用途に利用されている。
本発明のような、粘着シール付きの蝶番と紐を一体化し、使い方により樹脂シートを左右に切り離すと粘着シール付紐と紐の部分を切り離すと粘着シール付蝶番が出来る構造で、特に樹脂シートを利用した蝶番は調査しても少ない、例えば特開平０９−１５７６００号公報がある。
【発明の開示】
【発明が解決しようとする課題】
【０００３】  それには次のような問題点があった。
（イ）従来の蝶番は金属や硬質樹脂で出来、螺子で取り付けるか、接着剤を塗布して使用される為、被接着物の素材は限られ超薄板等への取り付けには不向きであった。又デザイン・形も限られていた。
（ロ）梱包作業には「紐」や「粘着テープ」が主に使われている、「紐」は被梱包物を幾重にも巻き締める作業の面倒さがある。
（ハ）粘着テープには被梱包品に直接接着すると汚れを残す欠点があった。
（ニ）装飾用の紐には被梱包品の裏まで縛る機能は特に必要とはしない場合が多いにも関わらず幾重にも縛り無駄が多かった。
本発明は、以上の問題点を解決するためのものである。
【発明を解決するための手段】
【０００４】  樹脂シート（１）の裏面の中心線より左右の一定幅には粘着剤（２）を塗布しない部分（３）を設け、それ以外の左右の部分（４）には粘着剤（２）を塗布し、その塗布した粘着剤を保護するため紙（５）を貼り付けたシールで構成されている。樹脂シート（１）は切り取る方向により、蝶番（６）の機能をもった形状と、紐（７）の機能をもったどちらかの形状の粘着シールを必要に応じ作ることが出来る。
【発明の効果】
【０００５】  本発明は、粘着シールに蝶番の機能と紐の機能を付加し改良したものである。
この蝶番はシート状で粘着力があるため、被接着物の素材は布・紙・器・セラミック・樹脂フイルム金属箔等の硬質材や軟質材への接着が可能となり、厚板にも超薄板にも接着することが出来る。又、この蝶番は軟質材で出来ているのでマルや三角の幾何学模様や蝶・トンボ・人など色々なキャラクターを自由な形にデザイン加工できる。この紐は「紐」に「粘着シール」を設けることにより、縛る・結ぶ・貼り付ける機能の相乗効果で互いの欠点を補い、用途が広がり梱包作業で便利な使い方が出来る。特に袋・箱２っ折りパネル等の開口部を閉じ・締めるのに有効である。
袋  →買物袋・古新聞保管袋等の閉じ紐
箱  →ダンボール箱の開口部よりはみ出した品物を結ぶ。
パネル→本や絵画・図面保管パネルの閉じ紐
「紐」の先端に「接着シール」が設けてある事により、被包装品の裏まで縛ることなく表面上は縛ってある様な「飾り紐」が出来る。
その他の紐の用途として、「紐」の両先端を縛る為の突起が無い場合に有効で、例えば、
（イ）平面な壁と壁の間に洗濯乾し様に紐を張る場合に使用。
（ロ）室内でクリスマスなどのイベントで装飾品などを天井や壁より吊り下げる飾り付けに利用できる。
（ハ）その他工作品・工芸品・民芸品等に使う紐にも適している。
【発明の実施するための最良の形態】
【０００６】  以下、本発明の実施の形態を説明する。
（イ）一定形状の樹脂シートの裏面、中心線より左右に一定幅に粘着剤を塗布しない部分（３）を設け、それ以外の左右の部分（４）には粘着剤を塗布する。
（ロ）粘着剤を塗布した上に紙（５）を貼り付け保護する。
（ハ）一定形状の樹脂シートの中心線で左右に切り離すと粘着シール付紐（８）が出来る。
（ニ）一定形状の紐の部分を切り離すと粘着シール付蝶番（９）が出来る。
（ホ）そして粘着シール付紐（８）、粘着シール付蝶番（９）の粘着部を保護している紙を剥がして接着箇所に接着する。
本発明は、以上のような構成よりなりたっている。
これを使用するときは、粘着シール付紐（８）又は粘着シール蝶番（９）か、使用目的により選別して、切取り部を選び切り離し、粘着部を保護している紙を剥がし目的箇所に接着する。
【図面の簡単な説明】
【０００７】
【図１】本発明の構成斜視図
【図２】本発明の切り離しの図
【図３】本発明の蝶番実施斜視図
【図４】本発明の実施梱包斜視図
【図５】本発明の紐の実施梱包斜視図
【符号の説明】
【０００８】  １  樹脂シート
２  粘着剤
３  塗布しない部分
４  左右の部分
５  紙
６  蝶番
７  紐
８  粘着シール付紐
９  粘着シール付蝶番
１０  粘着シール
【図１】
2006225618.tif 000003
【図２】
2006225618.tif 000004
【図３】
2006225618.tif 000005
【図４】
2006225618.tif 000006
【図５】
2006225618.tif 000007
(57)【要約】【課題】塩素原子を含まないためオゾン層を破壊しない新規な環状含フッ素化合物とその製造方法を提供する。【解決手段】下記化学式（１）【化３】2006225292.tif 000004で示される1,1,2,2,3,3-ヘキサフルオロシクロブタンを、テトラフルオロエチレンとフッ化ビニリデンを１００℃〜４００℃で反応させることにより製造する。【選択図】ナシ【特許請求の範囲】
【請求項１】
下記化学式（１）
【化１】
2006225292.tif 000003
で示される1,1,2,2,3,3-ヘキサフルオロシクロブタン。
【請求項２】
テトラフルオロエチレンとフッ化ビニリデンを１００℃〜４００℃で反応させることを特徴とする1,1,2,2,3,3-ヘキサフルオロシクロブタンの製造方法。
【発明の詳細な説明】
【技術分野】
【０００１】
本発明は、地球環境問題に対処するため、大気中に放出された場合にも地球環境に及ぼす影響が小さいか或いは全く影響がない伝熱媒体、消火剤、動力循環作動流体、発泡剤、反応溶媒、乾燥剤、洗浄剤として使用できるCFCに代替し得る新規な環状含フッ素化合物及びそれを合成する製造方法に関する。
【背景技術】
【０００２】
従来、伝熱媒体、消火剤、動力循環作動流体、発泡剤、反応溶媒、乾燥剤、洗浄剤などとして、クロロフルオロカーボン（CFC）類が広く利用されてきた。このCFC類は、毒性が少なく、不燃性で、化学的及び熱的に安定であることから各種の産業分野に広く使用されていた。しかし、このように優れた特徴を有するCFC類は、大気中に放出されると成層圏のオゾン層を破壊するため、人類を含む地球上の生態系に重大な悪影響を及ぼすことが指摘され、その製造が１９９５年末に国際的条約により禁止された。またハイドロクロロフルオロカーボン（HCFC）類は、CFC類ほど影響は大きくないもののオゾン層を破壊するために２０２０年までにその使用および製造が段階的に制限されていくことが決定している。
【０００３】
このような地球環境問題に対処するため、大気中に放出された場合にもオゾン層を破壊しない伝熱媒体、消火剤、動力循環作動流体、発泡剤、反応溶媒、乾燥剤、洗浄剤として使用できるCFC類、HCFC類に代替し得る化合物が求められている。（非特許文献１）
【非特許文献１】J. Fluorine Chem., 101 (2000) 215
【発明の開示】
【発明が解決しようとする課題】
【０００４】
本発明は、洗浄剤、伝熱媒体、消火剤、動力循環作動流体、反応溶媒、乾燥剤として使用でき、しかも環境に悪影響を与えない新規な含フッ素化合物及びこの含フッ素化合物を収率良く製造する方法を提供することを課題とする。
【課題を解決するための手段】
【０００５】
上記目的を達成するために本発明は、化学式（１）の構造を有する
新規な含フッ素化合物を、テトラフルオロエチレンとフッ化ビニリデンを高温下で反応させることにより生成させることを見出した。
すなわち、
本発明は、下記化学式（１）
【化２】
2006225292.tif 000002
で示される1,1,2,2,3,3-ヘキサフルオロシクロブタンに関する。
さらに、本発明は、
テトラフルオロエチレンとフッ化ビニリデンを１００℃〜４００℃で反応させることを特徴とする1,1,2,2,3,3-ヘキサフルオロシクロブタンの製造方法である。
【発明の効果】
【０００６】
本発明によれば、テトラフルオロエチレンとフッ化ビニリデンを高温下で反応させることにより得られる新規な1,1,2,2,3,3-ヘキサフルオロシクロブタンを製造することができる。この化合物は、従来のCFCと同様、洗浄剤、伝熱媒体、消火剤、動力循環作動流体、反応溶媒、乾燥剤として使用でき、CFCの代替物として極めて有用である。また塩素原子を含まないため、オゾン層を破壊することない地球環境に及ぼす影響の少ない化合物である。
【発明を実施するための最良の形態】
【０００７】
本発明によれば、テトラフルオロエチレンとフッ化ビニリデンを高温下で反応させることにより、新規な1,1,2,2,3,3-ヘキサフルオロシクロブタンが製造できる。
本発明で用いるテトラフルオロエチレン、フッ化ビニリデンは、フッ素系ポリマーのモノマーとして広く工業生産されている。
理論的にフッ化ビニリデンはテトラフルオロエチレンと等モル必要であるが、テトラフルオロエチレンの２量化反応を抑制するために過剰量用いることが好ましい。したがって、フッ化ビニリデンは、テトラフルオロエチレンの１〜１００倍モル、好ましくは５〜５０倍モル、より好ましくは１０〜３０倍モル用いる。
【０００８】
本発明における反応では、特に溶媒を用いる必要はないが、溶媒を用いても良い。反応は、耐圧容器等を用いたバッチ式、または加圧、大気圧、減圧下、いずれの圧力条件下のフロー式で行うことができる。バッチ式反応における反応温度は１００℃から４００℃、好ましくは１５０℃から３００℃が適当である。反応時間は、反応条件などにより一概に決定できないが、バッチ式では数時間から数十時間、フロー式では接触時間が数秒から５分程度が適当である。
【実施例１】
【０００９】
本発明について具体例を挙げてさらに詳しく説明するが、本発明はこれら実施例に限定されるものではない。
本発明の1,1,2,2,3,3-ヘキサフルオロシクロブタンの製造例を説明する。
内容量１０mlのステンレス製圧力反応器に、真空ラインを用いて、テトラフルオロエチレン５．０mmol、フッ化ビニリデン３０．０mmolを仕込んだ。反応器を２３０℃で１２時間攪拌を続けた。反応により得られた粗生成物を真空ラインにより分離精製した後、1H-NMR、19F-NMRおよびGC-MSにより測定した結果、NMR面積比で１．０３mmolの１，１，２，２，３，３−ヘキサフルオロシクロブタンを得た。この時、収率はテトラフルオロエチレンを基準として２１％であった。生成物の１Ｈ−ＮＭＲ、１９Ｆ−ＮＭＲおよびＭＳデータを以下に示す。なお、１Ｈ−ＮＭＲおよび１９Ｆ−ＮＭＲスペクトルの測定には、溶媒に重クロロホルムを用い、内部標準物質としてそれぞれテトラメチルシランとクロロトリフルオロメタンを用いた。
得られた1,1,2,2,3,3-ヘキサフルオロシクロブタンは、以下の物性を有するものであった。
1H−NMR(CDCl3)、d 3.15(2H, quin of t, J＝12.0 Hz, 3.7 Hz)
19F-NMR(CFCl3)、d −117.6（4F, t, J＝12.0 Hz）、-131.5（2F, t, J＝3.7 Hz）
MS, m/z 145 (M+-F), 113, 100 (CF2CF2+), 95, 75, 69, 64 (CH2CF2+), 31
【産業上の利用可能性】
【００１０】
本発明の新規な環状含フッ素化合物は、環境への負荷が少ないので、大気中に放出された場合にもオゾン層を破壊しない伝熱媒体、消火剤、動力循環作動流体、発泡剤、反応溶媒、乾燥剤、洗浄剤として使用できるCFC類、HCFC類に代替し得る化合物として有望であり、産業上の利用可能性は高い。